(57)【特許請求の範囲】
【請求項１】
機器ケース内に設けられ、所定の入射出面から光線を射出する光線発光部および前記入射出面から入射された光線を受光する光線受光部を有する読取ユニットと、
前記入射出面から射出された光線の直進光路に対して傾斜した状態で前記機器ケースに設けられた光線透過窓部と、
前記入射出面から射出されて前記光線透過窓部に照射された光線であって、前記光線透過窓部で前記入射出面に向かう方向とは異なる所定の方向に一次反射された光線を所定の採込開口部から採り込んで減衰させる光線減衰部と、
を備え、
前記読取ユニットは、前記光線減衰部の配置位置と前記光線透過窓部の配置位置との間において、前記入射出面が非介在的となるように配置されている、
ことを特徴とする光学読取構造。
【請求項２】
請求項１に記載の光学読取構造において、
前記読取ユニットは、ユニットケースを備え、
前記ユニットケースに前記光線発光部および前記光線受光部が搭載されていると共に、前記ユニットケースに前記光線減衰部が設けられている、
ことを特徴とする光学読取構造。
【請求項３】
請求項１または請求項２に記載の光学読取構造において、
前記光線発光部は、予め定められた特定波長領域のレーザ光線を発光し、
前記光線透過窓部は、前記特定波長領域のレーザ光線を透過する光学フィルタである、
ことを特徴とする光学読取構造。
【請求項４】
請求項１〜請求項３のいずれかに記載の光学読取構造において、
前記光線減衰部は、前記採込開口部から採り込んだ光線を繰り返し反射させることにより減衰させる、
ことを特徴とする光学読取構造。
【請求項５】
請求項１〜請求項４のいずれかに記載の光学読取構造において、
前記光線減衰部は、前記採込開口部の側の間隔が広く、前記採込開口部から採り込んだ光線の進行方向側に向かうに従って前記間隔が次第に狭くなる一対の反射面を有している、
ことを特徴とする光学読取構造。
【請求項６】
請求項５に記載の光学読取構造において、
前記光線減衰部は、前記一対の反射面が前記光線透過窓部に対応した状態で複数配列されている、
ことを特徴とする光学読取構造。
【請求項７】
請求項１〜請求項６のいずれかに記載の光学読取構造において、
前記光線透過窓部は、前記入射出面及び前記採込開口部を覆う位置に設けられている、
ことを特徴とする光学読取構造。
【請求項８】
機器ケース内に設けられ、所定の入射出面から光線を射出する光線発光部および前記入射出面から入射された光線を受光する光線受光部を有する読取ユニットと、
前記入射出面から射出された光線の直進光路に対して傾斜した状態で前記機器ケースに設けられた光線透過窓部と、
前記入射出面から射出されて前記光線透過窓部に照射された光線であって、前記光線透過窓部で前記入射出面に向かう方向とは異なる所定の方向に一次反射された光線を所定の採込開口部から採り込んで減衰させる光線減衰部と、
を備え、
前記読取ユニットは、前記光線減衰部の配置位置と前記光線透過窓部の配置位置との間において、前記入射出面が非介在的となるように配置されている、
ことを特徴とする電子機器。
【発明の詳細な説明】
【技術分野】
【０００１】
この発明は、光学読取構造および電子機器に関する。
【背景技術】
【０００２】
例えば、光学読取構造においては、特許文献１に記載されているように、光線発光部で発光されたレーザ光線を光線透過窓部から出射させ、この光線透過窓部から出射されたレーザ光線をバーコードなどの被読取物に照射させ、この照射されたレーザ光線の反射光を再び光線透過窓部から採り込んで光線受光部で受光することにより、被読取物を光学的に読み取るように構成されたものが知られている。
【先行技術文献】
【特許文献】
【０００３】
【特許文献１】特表２００９−５２５４９３号公報
【０００４】
このような光学読取構造は、光線発光部で発光されたレーザ光線が光線透過窓部に照射された際に、その照射されたレーザ光線の一部が光線透過窓部の内面と外面とで反射され、この反射されたレーザ光線を光線受光部が受光すると、読取不良を起こすため、光線透過窓部の内面と外面とに反射防止膜を設けた構成になっている。
【発明の概要】
【発明が解決しようとする課題】
【０００５】
しかしながら、このような光学読取構造では、レーザ光線の反射を防止する反射防止膜が特殊な膜であり、この特殊な反射防止膜を光線透過窓部の内面と外面との両面に設ける取付作業が面倒で、製作コストが高くなるという問題があるほか、光線透過窓部の外面に設けられた反射防止膜が傷付き易く、破損し易いため、光線透過窓部の外面によるレーザ光線の反射を確実に防ぐことが困難であるという問題がある。
【０００６】
この発明が解決しようとする課題は、光線透過窓部に反射防止膜を設けることとは異なる方法で、光線透過窓部による光線の反射による悪影響を抑制することができる光学読取構造および電子機器を提供することである。
【課題を解決するための手段】
【０００７】
この発明に係る光学読取構造は、機器ケース内に設けられ、所定の入射出面から光線を射出する光線発光部および前記入射出面から入射された光線を受光する光線受光部を有する読取ユニットと、前記入射出面から射出された光線の直進光路に対して傾斜した状態で前記機器ケースに設けられた光線透過窓部と、前記入射出面から射出されて前記光線透過窓部に照射された光線であって、前記光線透過窓部で前記入射出面に向かう方向とは異なる所定の方向に一次反射された光線を所定の採込開口部から採り込んで減衰させる光線減衰部と、を備え、前記読取ユニットは、前記光線減衰部の配置位置と前記光線透過窓部の配置位置との間において、前記入射出面が非介在的となるように配置されている、ことを特徴とする。
また、この発明に係る電子機器は、機器ケース内に設けられ、所定の入射出面から光線を射出する光線発光部および前記入射出面から入射された光線を受光する光線受光部を有する読取ユニットと、前記入射出面から射出された光線の直進光路に対して傾斜した状態で前記機器ケースに設けられた光線透過窓部と、前記入射出面から射出されて前記光線透過窓部に照射された光線であって、前記光線透過窓部で前記入射出面に向かう方向とは異なる所定の方向に一次反射された光線を所定の採込開口部から採り込んで減衰させる光線減衰部と、を備え、前記読取ユニットは、前記光線減衰部の配置位置と前記光線透過窓部の配置位置との間において、前記入射出面が非介在的となるように配置されている、ことを特徴とする。
【発明の効果】
【０００８】
この発明によれば、光線透過窓部に反射防止膜を設けることとは異なる方法で、光線透過窓部による光線の反射による悪影響を抑制することができる。
【図面の簡単な説明】
【０００９】
【図１】この発明を携帯端末機に適用した第１実施形態を示した正面図である。
【図２】図１に示された携帯端末機の裏面図である。
【図３】図２に示された携帯端末機のＡ−Ａ矢視における光学読取構造の拡大断面図である。
【図４】図３に示された光学読取構造が配置される下部ケースの要部を示した拡大斜視図である。
【図５】図３に示しされた光学読取構造の読取ユニットを示した拡大斜視図である。
【図６】この発明を携帯端末機に適用した第２実施形態における光学読取構造を示した拡大断面図である。
【図７】図６に示された光学読取構造の読取ユニットを示した拡大斜視図である。
【図８】図６に示された光学読取構造における光線減衰部の一部を示した拡大断面図である。
【発明を実施するための形態】
【００１０】
（第１実施形態）
以下、図１〜図５を参照して、この発明を携帯端末機に適用した第１実施形態について説明する。
この携帯端末機は、図１〜図３に示すように、前後方向（図１では上下方向）に長い長方形状の機器ケース１を備えている。この機器ケース１は、上部ケース２と下部ケース３とを有し、これらの内部にモジュール４が組み込まれるように構成されている。
【００１１】
上部ケース２は、図１に示すように、上面が長方形のほぼ平板状に形成され、図３に示すように、その外周の側面部が下部ケース３に取り付けられるように構成されている。この場合、上部ケース２の上面におけるほぼ上辺側半分には、図１に示すように、表示窓部５が設けられており、そのほぼ下辺側半分には、キー入力部６が設けられている。
【００１２】
表示窓部５は、図１および図３に示すように、上部ケース２の上面に形成されたほぼ長方形状の開口部５ａと、この開口部５ａの縁部に沿って設けられて開口部５ａを塞ぐ保護ガラス５ｂと、を備えている。キー入力部６は、テンキー、カーソルキー、ファンクションキーなどの携帯端末機に必要な各種のキーを備えている。
【００１３】
下部ケース３は、図２〜図４に示すように、その外周の側面部が底部に向けて円弧状に湾曲して形成され、この側面部の上部に上部ケース２の側面部の下部が取り付けられるように構成されている。この下部ケース３の下辺部側には、電池収納部（図示せず）を塞ぐ電池蓋７が着脱可能に取り付けられている。
【００１４】
この下部ケース３の前後方向におけるほぼ中間部に位置する両側部には、図２に示すように、スイッチ部８がそれぞれ設けられている。また、この下部ケース３の上辺部側には、図２〜図４に示すように、後述する光学読取構造１０が配置される読取収納部１１が裏面側に向けて山形状に突出して設けられている。
【００１５】
モジュール４は、図３に示すように、インナーケース１２を備え、このインナーケース１２に表示パネル１３および回路基板１４などの携帯端末機に必要な各種の部品が搭載されるように構成されている。表示パネル１３は、液晶表示パネルやＥＬ（エレクトロ・ルミネセンス）表示パネルのなどの平面型の表示パネルであり、携帯端末機に必要な各種の情報を電気光学的に表示するように構成されている。
【００１６】
すなわち、この表示パネル１３は、図３に示すように、上部ケース２の表示窓部５に対応した状態で、インナーケース１２内に取り付けられ、表示された情報が表示窓部５を通して上部ケース２の上方から見えるように構成されている。回路基板１４は、携帯端末機に必要な各種の電子部品（図示せず）が設けられ、インナーケース１２の下面のほぼ全域に亘って配置されるように構成されている。
【００１７】
ところで、光学読取構造１０は、図３および図５に示すように、読取ユニット１５を備えている。この読取ユニット１５は、下部ケース３の読取収納部１１内に配置された状態で、機器ケース１内のインナーケース１２に取り付けられている。この場合、読取収納部１１の上辺部側（図３では右側）に位置する傾斜部には、図３および図４に示すように、開口部１１ａが設けられていると共に、この開口部１１ａを塞ぐ光線透過窓部１６が設けられている。
【００１８】
読取ユニット１５は、図３および図５に示すように、ユニットケース１７を有している。このユニットケース１７は、光線発光部１８と光線受光部１９とが並列に配列された状態で設けられるケース本体部２０と、光線発光部１８で発光されて光線透過窓部１６に照射されたレーザ光線のうち、光線透過窓部１６で反射されたレーザ光線を採り込んで減衰させる光線減衰部２１と、を有し、これらが合成樹脂で形成されている。
【００１９】
ケース本体部２０は、図３に示すように、読取収納部１１の下辺部側（図３では左側）に位置する傾斜部に対応した状態で、下部ケース３内に傾斜して配置され、この状態で下部ケース３の下辺部側に位置する後端部（図３では左端部）が回路基板１４の開口部１４ａを通してインナーケース１２に取り付けられるように構成されている。
【００２０】
光線発光部１８は、予め定められた特定波長領域のレーザ光線を発光するように構成されている。この光線発光部１８は、図３に示すように、発光したレーザ光線を光線透過窓部１６に照射させ、この光線透過窓部１６を透過したレーザ光線を外部の被読取物（図示せず）に照射させるように構成されている。光線受光部１９は、レーザ光線を受光するものである。
【００２１】
すなわち、この光線受光部１９は、図３に示すように、光線発光部１８で発光されたレーザ光線が光線透過窓部１６を透過して被読取物に照射され、この照射されたレーザ光線が被読取物で反射された際に、その反射されたレーザ光線のうち、光線透過窓部１６を透過して機器ケース１内に採り込まれたレーザ光線を受光するように構成されている。この場合、被読取物とは、バーコードやコードシンボルなどの物品のデータが記録されたマークである。
【００２２】
また、ケース本体部２０は、図３に示すように、読取収納部１１に設けられた光線透過窓部１６に対して所定角度で傾いた状態で配置されている。これにより、ケース本体部２０内に設けられた光線発光部１８は、発光したレーザ光線が光線透過窓部１６に垂直に照射されず、所定の角度θ（例えば６０度程度）で傾いた状態でレーザ光線が照射されるように構成されている。
【００２３】
すなわち、光線透過窓部１６は、図３に示すように、光線発光部１８で発光されたレーザ光線の直進光路に対して所定角度θ、例えば６０度程度の角度で傾いて配置されている。このため、光線透過窓部１６は、光線発光部１８で発光されたレーザ光線が透過する際に、下部ケース３の内部側に位置する内面１６ａと、下部ケース３の外部側に位置する外面１６ｂとで、レーザ光線の一部がそれぞれ下部ケース３の内部に向けて反射されるように構成されている。
【００２４】
この場合、光線透過窓部１６は、光線発光部１８で発光されたレーザ光線と同じ特定波長領域のレーザ光線を透過する光学フィルタである。このため、この光線透過窓部１６は、光線発光部１８で発光された特定波長領域のレーザ光線、および被読取物（図示せず）で反射された特定波長領域のレーザ光線を透過するように構成されている。
【００２５】
一方、光線減衰部２１は、図３および図５に示すように、ユニットケース１７に一体に形成され、光線透過窓部１６に対応した状態で、下部ケース３内に配置されている。すなわち、この光線減衰部２１は、光線透過窓部１６の内面１６ａと外面１６ｂとで反射されるレーザ光線の反射方向に位置した状態で配置されている。
【００２６】
この光線減衰部２１は、図３および図５に示すように、光線発光部１８で発光されたレーザ光線のうち、光線透過窓部１６の内面１６ａと外面１６ｂとで反射されたレーザ光線を採り込んで、繰り返し反射させることにより、レーザ光線を減衰させるように構成されている。すなわち、この光線減衰部２１は、レーザ光線の採り込み側の間隔が広く、レーザ光線の進行方向側に向かうに従って間隔が次第に狭くなる一対の反射面２２ａ、２２ｂを有している。
【００２７】
この場合、光線減衰部２１は、図３および図５に示すように、断面形状がほぼＶ字形状の溝部に形成され、この溝部の互いに対向する内面に反射膜２２が設けられていることにより、この反射膜２２によって一対の反射面２２ａ、２２ｂが形成された構成になっている。この反射膜２２は、アルミ箔などの反射シート、金属メッキ層、金属蒸着層などである。
【００２８】
また、一対の反射面２２ａ、２２ｂのうち、一方の反射面２２ａは、図３に示すように、光線透過窓部１６の内面１６ａと外面１６ｂとで反射されたレーザ光線が照射される採込み面であり、光線透過窓部１６で反射されたレーザ光線の直進光路に対して鋭角に傾いた状態で、光線透過窓部１６に対向して配置されている。また、他方の反射面２２ｂは、一方の反射面２２ａで反射されたレーザ光線を光線透過窓部１６と反対側に向けて反射するように傾斜して配置されている。
【００２９】
これにより、一対の反射面２２ａ、２２ｂは、図３に示すように、光線透過窓部１６で反射されたレーザ光線を一方の反射面２２ａで他方の反射面２２ｂに向けて反射し、この一方の反射面２２ａで反射されたレーザ光線を他方の反射面２２ｂで一方の反射面２２ａに向けて反射するように構成されている。
【００３０】
このため、これら一対の反射面２２ａ、２２ｂは、図３に示すように、これらの間で順次レーザ光線の反射を繰り返することにより、レーザ光線を光線透過窓部１６から離れる方向、つまり一対の反射面２２ａ、２２ｂの間隔が次第に狭くなる方向に進行させて、レーザ光線を減衰させるように構成されている。
【００３１】
次に、このような携帯端末機の光学読取構造１０の作用について説明する。
この場合には、機器ケース１の両側部に設けられたスイッチ部８の一方を操作して、携帯端末機を光学読取モードに切り替え、この状態でスイッチ部８の他方を操作する。すると、光学読取構造１０が読取動作を開始する。
【００３２】
すなわち、読取ユニット１５のユニットケース１７に設けられた光線発光部１８が予め定められた特定波長領域のレーザ光線を発光する。この特定波長領域のレーザ光線は、下部ケース３の読取収納部１１に設けられた開口部１１ａを通して光線透過窓部１６に照射され、この照射されたレーザ光線のほとんどは、光線透過窓部１６を透過する。
【００３３】
このときには、光線透過窓部１６が光線発光部１８で発光された特定波長領域と同じ特定波長領域のレーザ光線を透過する光学フィルタであることにより、この光線透過窓部１６によって光線発光部１８で発光された特定波長領域のレーザ光線のみを透過する。この光線透過窓部１６を透過した特定波長領域のレーザ光線は、直進して、バーコードなどの被読取物（図示せず）にピンポイントで照射される。
【００３４】
この被読取物に照射されたレーザ光線は、被読取物で反射され、この反射されたレーザ光線のうち、一部のレーザ光線は、再び光線透過窓部１６に下部ケース３の外部から照射される。このときにも、光線透過窓部１６にその外部から照射されたレーザ光線は、特定波長領域の光線であるから、光線透過窓部１６を透過して下部ケース３内に入射する。この光線透過窓部１６を透過したレーザ光線は、読取ユニット１５のユニットケース１７に設けられた光線受光部１９で受光される。
【００３５】
このような状態で、機器ケース１を被読取物に沿って移動させることにより、光線発光部１８で発光されたレーザ光線を被読取物に沿って移動させながら被読取物の全域に沿って順次照射させる。このときには、レーザ光線が被読取物で順次反射されて、再び光線透過窓部１６を透過する。この透過したレーザ光線が、読取ユニット１５の光線受光部１９で順次受光される。これにより、バーコードなどの被読取物が光学的に読み取られる。
【００３６】
ところで、読取ユニット１５の光線発光部１８で発光されて光線透過窓部１６に照射されたレーザ光線のうち、一部のレーザ光線は、光線透過窓部１６を透過せず、光線透過窓部１６の内面１ａと外面１６ｂとで、下部ケース３内に向けて反射される。この反射されたレーザ光線は、ユニットケース１７に設けられた光線減衰部２１に採り込まれて減衰される。
【００３７】
すなわち、光線透過窓部１６の内面１ａと外面１６ｂとで反射されたレーザ光線は、光線減衰部２１の互いに対向する反射膜２２の一対の反射面２２ａ、２２ｂ間に入射する。この入射したレーザ光線は一方の反射面２２ａに照射され、この照射されたレーザ光線は一方の反射面２２ａで他方の反射面２２ｂに向けて反射され、この反射されたレーザ光線は他方の反射面２２ｂで一方の反射面２２ａに向けて反射される。
【００３８】
このように、互いに対向する反射膜２２の一対の反射面２２ａ、２２ｂ間に入射されたレーザ光線は、一対の反射面２２ａ、２２ｂで順次反射を繰り返して、光線透過窓部１６から離れる方向、つまり一対の反射面２２ａ、２２ｂの間隔が次第に狭くなる方向に向けて進行する。これにより、一対の反射面２２ａ、２２ｂ間に入射されたレーザ光線は、一対の反射面２２ａ、２２ｂで反射を繰り返すことにより減衰される。
【００３９】
このため、この光学読取構造１０は、光線発光部１８で発光されて光線透過窓部１６に照射されたレーザ光線のうち、光線透過窓部１６の内面１ａと外面１６ｂとで下部ケース３内に向けて反射された一部のレーザ光線が光線減衰部２１に採り込まれて減衰されるので、光線透過窓部１６を透過したレーザ光線がバーコードなどの被読取物（図示せず）に照射され、その反射したレーザ光線のみが光線受光部１９で受光される。
【００４０】
これにより、この光学読取構造１０は、光線透過窓部１６の内面１ａと外面１６ｂとで反射されたレーザ光線による影響を光線受光部１９が受けることがない。このため、被読取物で反射されたレーザ光線のみを光線受光部１９によって確実にかつ良好に受光することができるので、被読取物を正確にかつ精度良く読み取ることができる。
【００４１】
このように、この携帯端末機の光学読取構造１０によれば、下部ケース３内に設けられ、光線発光部１８および光線受光部１９を有する読取ユニット１５と、光線発光部１８で発光されたレーザ光線の直進光路に対して傾斜した状態で下部ケース３に設けられた光線透過窓部１６と、光線発光部１８で発光されて光線透過窓部１６に照射されたレーザ光線のうち、光線透過窓部１６で反射されたレーザ光線を採り込んで減衰させる光線減衰部２１と、を備えていることにより、被読取物を正確に読み取ることができる。
【００４２】
すなわち、この携帯端末機の光学読取構造１０では、読取ユニット１５の光線発光部１８で発光されたレーザ光線が光線透過窓部１６に照射された際に、その照射されたレーザ光線のうち、光線透過窓部１６で反射されたレーザ光線を光線減衰部２１で採り込んで減衰させることができる。このため、反射防止膜を用いずに、光線透過窓部１６によるレーザ光線の反射による悪影響を防ぐことができるので、被読取物を正確に読み取ることができる。
【００４３】
この場合、光線透過窓部１６は、光線発光部１８で発光されたレーザ光線の直進光路に対して傾斜した状態で下部ケース３に設けられているので、光線発光部１８で発光されたレーザ光線が光線透過窓部１６で反射される際に、レーザ光線の直進光路に対して異なる方向にレーザ光線を反射させることができ、これにより光線透過窓部１６で反射されたレーザ光線を、光線発光部１８および光線受光部１９に向けて反射させず、光線減衰部２１に向けて反射させて光線減衰部２１で確実に採り込むことができる。
【００４４】
このため、この光学読取構造１０では、光線発光部１８で発光されて光線透過窓部１６を透過したレーザ光線をバーコードなどの被読取物（図示せず）に照射させ、その反射したレーザ光線のみを光線透過窓部１６が透過させて光線受光部１９で確実にかつ良好に受光させることができるので、光線受光部１９が光線透過窓部１６で反射されたレーザ光線による影響を受けずに、被読取物を正確にかつ精度良く読み取ることができる。
【００４５】
また、この光学読取構造１０では、読取ユニット１５がユニットケース１７を備え、このユニットケース１７に光線発光部１８および光線受光部１９が搭載されていると共に、このユニットケース１７に光線減衰部２１が設けられていることにより、光線減衰部２１を備えていても、光線減衰部２１を別部品として製作する必要がないので、部品点数が増加しないばかりか、光線発光部１８および光線受光部１９と共に下部ケース３内に組み付けることができるので、組立作業も簡単で、手間がかからず、低価格化を図ることができる。
【００４６】
また、この光学読取構造１０では、光線発光部１８が予め定められた特定波長領域のレーザ光線を発光することにより、バーコードなどの被読取物に向けてレーザ光線を直線的に進行させてピンポイントで被読取物に照射させることができるので、レーザ光線を被読取物に正確にかつ確実に照射させることができ、これにより被読取物を正確に読み取ることが可能になる。
【００４７】
この場合、光線透過窓部１６は、光線発光部１８で発光された予め定められた特定波長領域と同じ特定波長領域のレーザ光線を透過する光学フィルタであることにより、光線透過窓部１６を透過した特定波長領域のレーザ光線が被読取物に照射されて反射された際に、その反射されたレーザ光線のみを光線透過窓部１６で透過させて光線受光部１９で受光させることができ、これにより被読取物を正確にかつ確実に読み取ることができる。
【００４８】
さらに、この光学読取構造１０では、光線減衰部２１が採り込んだレーザ光線を繰り返し反射させて減衰させる構成であることにより、採り込んだレーザ光線を光線減衰部２１から外部に逃がさないようにすることができ、これにより光線透過窓部１６で反射されたレーザ光線による悪影響を確実に防ぐことができる。
【００４９】
この場合、光線減衰部２１は、レーザ光線の採り込み側の間隔が広く、レーザ光線の進行方向側に向かうに従って間隔が次第に狭くなる一対の反射面２２ａ、２２ｂを有していることにより、簡単な構造で、光線減衰部２１が採り込んだレーザ光線を一対の反射面２２ａ、２２ｂによって繰り返し反射させることができ、これにより採り込んだレーザ光線を確実に減衰させることができる。
【００５０】
すなわち、光線減衰部２１は、ユニットケース１７に断面形状がほぼＶ字形状の溝部を形成し、この溝部の互いに対向する内面に反射膜２２を設けることにより、一対の反射面２２ａ、２２ｂを形成した構成であるから、構造が簡単で、容易に製作することができる。この場合、反射膜２２は、アルミ箔などの反射シート、金属メッキ層、金属蒸着層などであるから、断面形状がほぼＶ字形状の溝部の互いに対向する内面に容易に設けることができ、これによっても低価格化を図ることができる。
【００５１】
（第２実施形態）
次に、図６〜図８を参照して、この発明を携帯端末機に適用した第２実施形態について説明する。なお、図１〜図５に示された第１実施形態と同一部分には同一符号を付して説明する。
この携帯端末機の光学読取構造３０は、図６〜図８に示すように、ユニットケース１７に設けられた光線減衰部３１が第１実施形態と異なる構成であり、これ以外は第１実施形態と同じ構成になっている。
【００５２】
すなわち、この光線減衰部３１は、第１実施形態と同様、ユニットケース１７に一体に形成され、光線透過窓部１６に対応した状態で、下部ケース３内に配置されるように構成されている。この場合にも、光線減衰部３１は、光線透過窓部１６の内面１６ａと外面１６ｂとで反射されるレーザ光線の反射方向に位置して配置されている。
【００５３】
この光線減衰部３１も、第１実施形態と同様、光線発光部１８で発光されて光線透過窓部１６に照射されたレーザ光線のうち、光線透過窓部１６の内面１６ａと外面１６ｂとで反射されたレーザ光線を採り込んで繰り返し反射させることにより、レーザ光線を減衰させるように構成されている。すなわち、この光線減衰部３１は、図６〜図８に示すように、採り込んだレーザ光線を繰り返し反射する一対の反射面３２ａ、３２ｂを有し、これら一対の反射面３２ａ、３２ｂを光線透過窓部１６に対応させた状態で、複数配列した構成になっている。
【００５４】
この場合、光線減衰部３１は、図６〜図７に示すように、断面形状がほぼＶ字形状の溝部を鋸状に複数配列させて形成し、これら複数配列された溝部それぞれの互いに対向する各内面に反射膜３２を設けることにより、これら反射膜３２によって各溝部の対向面に対応する各一対の反射面３２ａ、３２ｂをそれぞれ形成した構成になっている。これら反射膜３２も、第１実施形態と同様、アルミ箔などの反射シート、金属メッキ層、金属蒸着層などである。
【００５５】
また、複数配列された各一対の反射面３２ａ、３２ｂそれぞれは、図８に示すように、レーザ光線の採り込み側の間隔が広く、レーザ光線の進行方向側に向かうに従って間隔が次第に狭くなるように互いに傾斜した状態で設けられている。すなわち、これら各一対の反射面３２ａ、３２ｂのうち、一方の反射面３２ａは、光線透過窓部１６の内面１６ａと外面１６ｂとで反射されたレーザ光線が照射される採込み面である。
【００５６】
これら各一方の反射面３２ａは、図８に示すように、光線透過窓部１６で反射されたレーザ光線の直進光路に対して鋭角に傾いた状態で光線透過窓部１６に対して配置されている。また、他方の反射面３２ｂは、一方の反射面３２ａで反射されたレーザ光線を光線透過窓部１６と反対側に向けて反射するように傾斜して配置されている。
【００５７】
これにより、複数列の各一対の反射面３２ａ、３２ｂそれぞれは、第１実施形態と同様、光線透過窓部１６で反射されたレーザ光線を一方の反射面３２ａで他方の反射面３２ｂに向けて反射し、この一方の反射面３２ａで反射されたレーザ光線を他方の反射面３２ｂで一方の反射面３２ａに向けて反射するように構成されている。
【００５８】
このため、これら一対の反射面３２ａ、３２ｂは、図８に示すように、これらの間で順次レーザ光線の反射を繰り返することにより、レーザ光線を光線透過窓部１６から離れる方向、つまり一対の反射面３２ａ、３２ｂの間隔が次第に狭くなる方向に進行させて、レーザ光線を減衰させるように構成されている。
【００５９】
次に、このような携帯端末機の光学読取構造３０の作用について説明する。
この光学読取構造３０は、第１実施形態と同様、機器ケース１の両側部に設けられたスイッチ部８の一方を操作して、携帯端末機を光学読取モードに切り替え、この状態でスイッチ部８の他方を操作すると、が読取動作を開始する。
【００６０】
このときには、第１実施形態と同様、読取ユニット１５のユニットケース１７に設けられた光線発光部１８が予め定められた特定波長領域のレーザ光線を発光し、このレーザ光線が光線透過窓部１６に照射される。この光線透過窓部１６に照射されたレーザ光線は、そのほとんどが光線透過窓部１６を透過してバーコードなどの被読取物（図示せず）に照射される。
【００６１】
この被読取物に照射されたレーザ光線は、被読取物で反射され、この反射されたレーザ光線のうち、一部のレーザ光線は、再び光線透過窓部１６を透過し、この透過したレーザ光線が読取ユニット１５の光線受光部１９で受光される。これにより、第１実施形態と同様、バーコードなどの被読取物が光学的に読み取られる。
【００６２】
このときにも、読取ユニット１５の光線発光部１８で発光されて光線透過窓部１６に照射されたレーザ光線のうち、一部のレーザ光線は、光線透過窓部１６を透過せず、光線透過窓部１６の内面１ａと外面１６ｂとで、下部ケース３内に向けて反射される。この反射されたレーザ光線は、ユニットケース１７に設けられた光線減衰部３１に採り込まれて減衰される。
【００６３】
すなわち、光線減衰部３１は、レーザ光線を繰り返し反射する一対の反射面３２ａ、３２ｂが光線透過窓部１６に対応した状態で複数配列されているので、これら複数配列された各一対の反射面３２ａ、３２ｂ間それぞれに、光線透過窓部１６の内面１ａと外面１６ｂとで反射されたレーザ光線が採り込まれる。
【００６４】
そして、複数配列された各一対の反射面３２ａ、３２ｂ間それぞれに入射したレーザ光線は、第１実施形態と同様、一方の反射面３２ａに照射される。この照射されたレーザ光線は、一方の反射面３２ａで他方の反射面３２ｂに向けて反射され、この反射されたレーザ光線は他方の反射面３２ｂで一方の反射面３２ａに向けて反射される。
【００６５】
このように、複数配列された各一対の反射面３２ａ、３２ｂ間それぞれに入射されたレーザ光線は、各一対の反射面３２ａ、３２ｂで順次反射を繰り返して、光線透過窓部１６から離れる方向、つまり一対の反射面３２ａ、３２ｂの間隔が次第に狭くなる方向に向けて進行する。このため、一対の反射面３２ａ、３２ｂ間に入射されたレーザ光線は、各一対の反射面３２ａ、３２ｂで反射を繰り返すことにより減衰される。
【００６６】
これにより、この光学読取構造３０は、第１実施形態と同様、光線発光部１８で発光されて光線透過窓部１６に照射されたレーザ光線のうち、光線透過窓部１６の内面１ａと外面１６ｂとで下部ケース３内に向けて反射されたレーザ光線が、光線減衰部３１に採り込まれて減衰されるので、光線透過窓部１６で反射されたレーザ光線による影響を光線受光部１９が受けることがなく、被読取物を正確にかつ精度良く読み取ることができる。
【００６７】
このように、この携帯端末機の光学読取構造３０によれば、第１実施形態と同様の作用効果があるほか、採り込んだレーザ光線を繰り返し反射させて減衰させる光線減衰部３１が、レーザ光線の採り込み側の間隔が広く、レーザ光線の進行方向側に向かうに従って間隔が次第に狭くなる一対の反射面３２ａ、３２ｂを有し、これら一対の反射面３２ａ、３２ｂが光線透過窓部１６に対応した状態で複数配列されているので、第１実施形態よりも、光線透過窓部１６で反射されたレーザ光線を確実に採り込んで減衰させることができる。
【００６８】
すなわち、光線減衰部３１は、一対の反射面３２ａ、３２ｂを光線透過窓部１６に対応させた状態で複数配列した構成であるから、光線発光部１８で発光されたレーザ光線が光線透過窓部１６の内面１６ａと外面１６ｂとで反射された際に、その反射されたレーザ光線を複数配列された各一対の反射面３２ａ、３２ｂで確実に採り込むことができ、これにより第１実施形態よりも、光線透過窓部１６で反射されたレーザ光線を光線減衰部３１で確実に採り込んで減衰させることができる。
【００６９】
この場合、光線減衰部３１は、ユニットケース１７に断面形状がほぼＶ字形状の溝部を鋸状に複数配列させて形成し、これら複数配列された各溝部の互いに対向する内面に反射膜３２をそれぞれ設け、これら反射膜３２によって複数配列された各溝部の各内面に対応する一対の反射面３２ａ、３２ｂをそれぞれ形成した構成であるから、構造が簡単で、容易に製作することができる。
【００７０】
この場合にも、反射膜３２は、アルミ箔などの反射シート、金属メッキ層、金属蒸着層などであるから、断面形状がほぼＶ字形状の溝部それぞれの互いに対向する各内面に容易に設けることができ、これによっても、第１実施形態と同様、低価格化を図ることができる。
【００７１】
なお、上述した第１、第２の各実施形態では、光線発光部がレーザ光線を発光する場合について述べたが、光線発光部１８は必ずしもレーザ光線を発光する必要はなく、指向性の高い直進する光線であれば、どのような光線を発光するものであっても良い。
【００７２】
また、上述した第１、第２の各実施形態では、光線透過窓部１６が光線発光部１８で予め定められた特定波長領域のレーザ光線と同じ特定波長領域のレーザ光線を透過する光学フィルタである場合について述べたが、必ずしも光線透過窓部１６は光学フィルタである必要はない。例えば、光線透過窓部は、透明または半透明のガラスであっても良い。この場合には、光線受光部１９の前面に光線発光部１８で発光された特定波長領域のレーザ光線と同じ特定波長領域のレーザ光線を透過する光学フィルタを設ければ良い。
【００７３】
また、上述した第１、第２の各実施形態では、光線減衰部２１、３１の一対の反射面２２ａ、２２ｂ、３２ａ、３２ｂのうち、一方の反射面２２ａ、３２ａが光線透過窓部１６で反射されたレーザ光線を他方の反射面２２ｂ、３２ｂに向けて反射するように構成した場合について述べたが、これに限らず、光線透過窓部１６で反射されたレーザ光線を一対の反射面２２ａ、２２ｂ、３２ａ、３２ｂそれぞれで反対側の反射面２２ａ、２２ｂ、３２ａ、３２ｂそれぞれに向けて反射するように形成しても良い。
【００７４】
さらに、上述した第１、第２の各実施形態では、携帯端末機に適用した場合について述べたが、必ずしも携帯端末機である必要はなく、例えば携帯型の情報処理装置などの各種の電子機器に広く適用することができる。
【００７５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７６】
（付記）
請求項１に記載の発明は、機器ケース内に設けられ、光線を発光する光線発光部および光線を受光する光線受光部を有する読取ユニットと、前記光線発光部で発光された光線の直進光路に対して傾斜した状態で前記機器ケースに設けられた光線透過窓部と、前記光線発光部で発光されて前記光線透過窓部に照射された光線のうち、前記光線透過窓部で反射された光線を採り込んで減衰させる光線減衰部と、を備えていることを特徴とする光学読取構造である。
【００７７】
請求項２に記載の発明は、請求項１に記載の光学読取構造において、前記読取ユニットは、ユニットケースを備え、前記ユニットケースに前記光線発光部および前記光線受光部が搭載されていると共に、前記ユニットケースに前記光線減衰部が設けられていることを特徴とする光学読取構造である。
【００７８】
請求項３に記載の発明は、請求項１または請求項２に記載の光学読取構造において、前記光線発光部は、予め定められた特定波長領域のレーザ光線を発光し、前記光線透過窓部は、前記特定波長領域のレーザ光線を透過する光学フィルタであることを特徴とする光学読取構造である。
【００７９】
請求項４に記載の発明は、請求項１〜請求項３のいずれかに記載の光学読取構造において、前記光線減衰部は、前記光線透過窓部で反射された光線を採り込んで繰り返し反射して減衰させることを特徴とする光学読取構造である。
【００８０】
請求項５に記載の発明は、請求項１〜請求項４のいずれかに記載の光学読取構造において、前記光線減衰部は、前記光線透過窓部で反射された光線の採り込み側の間隔が広く、前記光線の進行方向側に向かうに従って前記間隔が次第に狭くなる一対の反射面を有していることを特徴とする光学読取構造である。
【００８１】
請求項６に記載の発明は、請求項５に記載の光学読取構造において、前記光線減衰部は、前記一対の反射面が前記光線透過窓部に対応した状態で複数配列されていることを特徴とする光学読取構造である。
【００８２】
請求項７に記載の発明は、請求項１〜請求項６のいずれかに記載された光学読取構造を備えている電子機器である。
【符号の説明】
【００８３】
１  機器ケース
２  上部ケース
３  下部ケース
１０、３０  光学読取構造
１１  読取収納部
１５  読取ユニット
１６  光線透過窓部
１７  ユニットケース
１８  光線発光部
１９  光線受光部
２０  ケース本体部
２１、３１  光線減衰部
２２、３２  反射膜
２２ａ、２２ｂ、３２ａ、３２ｂ  反射面
【図１】
0006379913.tif 000002
【図２】
0006379913.tif 000003
【図３】
0006379913.tif 000004
【図４】
0006379913.tif 000005
【図５】
0006379913.tif 000006
【図６】
0006379913.tif 000007
【図７】
0006379913.tif 000008
【図８】
0006379913.tif 000009